(57)【要約】【課題】組み立て作業の簡易化を図れるリード線接続用スイッチを提供すること。【解決手段】本発明のリード線接続用スイッチ１は、ベース２と、ベース２に設けられた固定接点片３と、レバー４に連動し固定接点片３の固定接点部３１、３２上を摺動する可動接点片５と、固定接点片３と一体的に成形され、リード線６を圧入可能とされる圧接溝３４を設けた圧接端子３３と、を備え、リード線６は圧接溝３４に圧入されると圧接端子３３に導通される。【選択図】図５
2013016274.tif 000002
【特許請求の範囲】
【請求項１】
被検出物が押圧子に作用することによりスイッチ動作を行うリード線接続用スイッチであって、
ベースと、
前記ベースに設けられた固定接点片と、
前記押圧子に連動し前記固定接点片上を摺動する可動接点片と、
前記固定接点片と一体的に成形され、リード線を圧入可能とされる圧接溝を設けた圧接端子と、を備え、
前記リード線は圧接溝に圧入されると圧接端子に導通されることを特徴とするリード線接続用スイッチ。
【請求項２】
前記リード線は被覆電線であり、前記圧接溝に圧入されると被覆が前記圧接溝により切り込まれ前記圧接端子と導通されることを特徴とする請求項１に記載のリード線接続用スイッチ。
【請求項３】
前記押圧子は前記可動接点片を取り付け可能な凹部を有するレバー状部材であり、前記可動接点片はＵ字形接点ばね片であることを特徴とする請求項１あるいは２に記載のリード線接続用スイッチ。
【請求項４】
前記押圧子は前記ベースに回動可能に支持されているとともに、回動し過ぎ防止のための回動規制手段が設けられていることを特徴とする請求項１ないし３いずれか１項に記載のリード線接続用スイッチ。
【発明の詳細な説明】
【技術分野】
【０００１】
本発明は、プリンタなどのカバーの開閉を検出するために使用されるリード線接続用スイッチに関するものである。
【背景技術】
【０００２】
従来のプリンタにおいては、カバーの開閉検出用のスイッチは、通常、カバー近傍に配置されており、本体内のメイン基板と該スイッチとの間の接続は、リード線で接続されているのが一般的である。このようなスイッチの一例としては、例えば、特許文献１の図３に記載のスイッチがあり、スイッチ５とメイン基板１０とがケーブル６を介して接続されている。ここでは、スイッチ５によりプリンタカバー１の開閉の検出を行っている状態が図示されているものの、スイッチ５とケーブル６との接続の態様が図示されていないが、ケーブルはスイッチ内部で半田付けされているのが一般的である。
【０００３】
しかしながら、このスイッチ５はプリンタカバー１の近傍に配置されているのでスイッチのＯＮ／ＯＦＦを直接行える点では優れているものの、スイッチ５とメイン基板との間が離れているため、ケーブル６及びコネクタ７で接続する必要がある等部品点数や組み立て工数の増加、組み立て作業が煩雑になる、コスト的にも高価になるなどの欠点があった。
【０００４】
そこで、この欠点を改善するものとして、特許文献１に記載のカバーオープンスイッチのようなものが提案された。このカバーオープンスイッチは、キャビネット上板２の一部を成形して可撓性を有するレバー状部１２とし、プリンタカバー１の裏側に設けられた突起１１で該レバー状部１２を背後から押圧することにより、プリンタカバー１の開閉を検出するように改良したものである。このような構造にしたことにより、確かに、従来必要としていたケーブルやコネクタなどが不要となり、部品点数の削減、組み立て工数の削減、組み立て作業が煩雑になる、ひいてはコストカットにも繋がる。
【０００５】
しかしながら、この改良されたカバーオープンスイッチは、プリンタ自体に新たにレバー状部１２を設ける必要があることから、プリンタ自体の改良に繋がるという新たな問題を生ずるものであった。また、このカバーオープンスイッチにおいては、プリンタカバーにより直接スイッチを押圧するわけではなく、レバー状部１２を介してスイッチを押圧することから、信頼性に関しても多少問題があり、さらに、業界的にはスイッチをプリンタカバー近傍に設けたいとする要請もある。
【先行技術文献】
【特許文献】
【０００６】
【特許文献１】特開平５−２６２０１１号公報
【発明の概要】
【発明が解決しようとする課題】
【０００７】
本発明の目的とするところは、プリンタカバー近傍に設置しつつも、組み立て作業の簡易化を実現可能なリード線接続用スイッチを提供することにある。
【課題を解決するための手段】
【０００８】
本発明は、被検出物が押圧子に作用することによりスイッチ動作を行うリード線接続用スイッチであって、ベースと、前記ベースに設けられた固定接点片と、前記押圧子に連動し前記固定接点片上を摺動する可動接点片と、前記固定接点片と一体的に成形され、リード線を圧入可能とされる圧接溝を設けた圧接端子と、を備え、前記リード線は圧接溝に圧入されると圧接端子に導通されることを特徴とする。
【０００９】
前記リード線は被覆電線であり、前記圧接溝に圧入されると被覆が前記圧接溝により切り込まれ前記圧接端子と導通されるようにしてもよい。
【００１０】
前記押圧子は前記可動接点片を取り付け可能な凹部を有するレバー状部材であり、前記可動接点片はＵ字形接点ばね片であってもよい。
【００１１】
前記押圧子は前記ベースに回動可能に支持されているとともに、回動し過ぎ防止のための回動規制手段が設けられているようにしてもよい。
【発明の効果】
【００１２】
本発明のリード線接続用スイッチは、被検出物が押圧子に作用することによりスイッチ動作を行うリード線接続用スイッチであって、ベースと、前記ベースに設けられた固定接点片と、前記押圧子に連動し前記固定接点片上を摺動する可動接点片と、前記固定接点片と一体的に成形され、リード線を圧入可能とされる圧接溝を設けた圧接端子と、を備え、前記リード線は圧接溝に圧入されると圧接端子に導通されるようにした。これにより、従来のようにリード線と接続する際に半田付け作業が不要となり組み立て作業が容易になるといった効果を奏する。
【図面の簡単な説明】
【００１３】
【図１】ベースを示す図であり、（ａ）は正面図、（ｂ）は上面図、（ｃ）は下面図、（ｄ）は底面図、（ｅ）は左側面図、（ｆ）は右側面図、（ｇ）は（ｆ）のＡ−Ａ線断面図である。
【図２】固定接点片の正面図である。
【図３】レバーを示す図であり、（ａ）は正面図、（ｂ）は一部断面図である。
【図４】可動接点片の正面図である。
【図５】本発明を適用したレバースイッチを示す図であり、（ａ）は正面図、（ｂ）は上面図、（ｃ）は下面図、（ｄ）左側面図、（ｅ）は右側面図である。
【図６】レバースイッチにリード線を接続する状態を説明するための説明図である。
【図７】レバースイッチの動作状態を説明するための説明図である。
【発明を実施するための形態】
【００１４】
以下、本発明を実施するための形態について、添付した図面を参照しながら詳細に説明する。なお、本実施形態においては、本発明であるリード線接続用スイッチをプリンタのプリンタカバーの開閉を検出するレバースイッチとして説明するがこれに限定されるものではない。
【００１５】
図１はベースを示す図であり、（ａ）は正面図、（ｂ）は上面図、（ｃ）は下面図、（ｄ）は底面図、（ｅ）は左側面図、（ｆ）は右側面図、（ｇ）は（ｆ）のＡ−Ａ線断面図であり、図２は固定接点片の正面図であり、図３はレバーを示す図であり、（ａ）は正面図、（ｂ）は一部断面図であり、図４は可動接点片の正面図であり、図５は本発明を適用したレバースイッチを示す図であり、（ａ）は正面図、（ｂ）は上面図、（ｃ）は下面図、（ｄ）左側面図、（ｅ）は右側面図であり、図６はレバースイッチにリード線を接続する状態を説明するための説明図であり、図７はレバースイッチの動作状態を説明するための説明図である。
【００１６】
レバースイッチ１は、ベース２、固定接点片３、レバー４及び可動接点片５からなる。
【００１７】
図１に示すように、ベース２は、レバー４を装着するレバー装着部２１と固定接点片３を装着する固定接点装着部２２からなる。
【００１８】
図２に示すように、固定接点片３は、可動接点部５２Ａ、５２Ｂと摺動接触する固定接点部３１、３２と、リード線６を接続する圧接端子３３からなる。
【００１９】
図３に示すように、レバー４は、プリンタのプリンタカバーと当接してプリンタカバーの開閉動作に連動して操作される操作部４１と、可動接点片５を装着する可動接点片装着部４２からなる。さらに、可動接点片装着部４２は、レバー４をレバー装着部２１に回動可能に支持する支持部４３と、可動接点片５を弾性的に収容する可動接点片装着凹部４４と、可動接点片５の一端部５１を係止する可動接点片係止部４５と、レバー４が所定の位置以上に回転し過ぎないように回転を抑制する回動規制部４６、４７からなる。
【００２０】
図４に示すように、可動接点片５は、全体がＵ字状の板バネ片であり、一端部５１からＵ字部５３で折り返され他端部５２に至り、他端部５２は、二股状に形成された可動接点部５２Ａ、５２Ｂとなっている。
【００２１】
図５に示すように、本発明のレバースイッチ１は、ベース２の固定接点装着部２２に固定接点片３を装着し、レバー４の可動接点片装着凹部４４に可動接点片５を弾性的に装着し、ベース２の凹部２３にレバー４の支持部４３を挿入してレバー４を回動可能に軸支する。この状態で圧接端子３３の圧接溝３４にリード線６を挿入すると、リード線６の被覆部６２が切り込まれて、圧接端子３３と電線６１が当接し導通可能な状態になる。
【００２２】
この接続状態を詳細に図示したのが図６である。図６に示すように、まず、ビニル、ポリエチレン、ゴムなどの絶縁体からなる被覆部６２で被覆された状態のままのリード線６を圧接端子３３上方から圧接溝３４に挿入する。この圧接溝３４の幅はリード線６より狭く設定されているので、リード線６は結果的に圧接溝３４に圧入されることになる。圧入されたリード線６は圧接端子３３により切り込まれ、電線６１から被覆部６２が剥がれ電線６１が露出する。すると、電線６１と圧接端子３３が当接し導通可能な状態となる（ＳＴＥＰ１〜ＳＴＥＰ４）。本発明はこのように構成したことによりリード線６を接続するときに従来のように被覆部を剥がし半田付けをするという作業が不要になり、作業の効率化が図れる。
【００２３】
次に、本発明の動作説明を図７を参照して説明する。
【００２４】
図７に示す状態において、ＯＦＦ状態では、レバー４は可動接点片５に付勢されるとともに、回動規制部４６に回動を規制されて、レバー４の操作部４１が右下方に傾斜した状態となっている。この状態から操作部４１にプリンタカバーが作用し操作部４１が右上方に持ち上げられる。すると、これに連動して可動接点部５２Ａ、５２Ｂが固定接点部３１、３２上を摺動し、レバースイッチ１はＯＮ状態に移行する。
【符号の説明】
【００２５】
１    レバースイッチ（リード線接続用スイッチ）
２    ベース
２１  レバー装着部
２２  固定接点装着部
２３  凹部
３    固定接点片
３１、３２  固定接点部
３３  圧接端子
３４  圧接溝
４    レバー（押圧子）
４１  操作部
４２  可動接点片装着部
４３  支持部
４４  可動接点片装着凹部
４５  可動接点片係止部
４６、４７  回動規制部
５    可動接点片
５１  一端部
５２  他端部
５２Ａ、５２Ｂ  可動接点部
５３  Ｕ字部
６    リード線
６１  電線
６２  被覆部
【図１】
2013016274.tif 000003
【図２】
2013016274.tif 000004
【図３】
2013016274.tif 000005
【図４】
2013016274.tif 000006
【図５】
2013016274.tif 000007
【図６】
2013016274.tif 000008
【図７】
2013016274.tif 000009